【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ネットワークを通じてビデオ・コンテンツをストリーミングする携帯型のビデオ・ストリーミング・デバイスにおいて、
プリント回路基板を収容するハウジングであって、前記プリント回路基板は電子回路を含んでなり、前記電子回路はメディア・コンテンツ・ソースから無線でビデオ・ストリーミング・コンテンツを受信し、前記電子回路は前記プリント回路基板に結合された複数の集積回路を含んでなり、前記複数の集積回路は、システム・オン・チップ（ＳＯＣ）と、Ｗｉ−Ｆｉ通信チップと、フラッシュメモリチップと、ダイナミック・ランダム・アクセス・メモリ（ＤＲＡＭ）チップと、１つ以上のパワー・マネジメント集積回路（ＰＭＩＣ）とを有し、前記ハウジングは上部エンクロージャと下部エンクロージャとを備え、前記上部エンクロージャは前記下部エンクロージャに連結され、前記下部エンクロージャは開口部を画成する側壁を有する、ハウジングと、
第１の端部と、第２の端部と、前記第１及び第２の端部の間を伸びるケーブル部とを有した出力コード・セグメントであって、前記出力コード・セグメントは前記携帯型のビデオ・ストリーミング・デバイスの分解を行わない限り前記ハウジングから取り外されず、前記第１の端部は低電圧差動信号（ＬＶＤＳ）コネクタを含んでなり、前記ＬＶＤＳコネクタは前記プリント回路基板に固定され、前記第２の端部は高精細度マルチメディア・インターフェース（ＨＤＭＩ）コネクタを含んでなり、ディスプレイ・デバイスのＨＤＭＩポートに着脱自在に接続され、前記ケーブル部は前記側壁の開口部を貫通して伸びる部分を有し、前記電子回路は受信した前記ビデオ・ストリーミング・コンテンツを前記出力コード・セグメントを通して前記ディスプレイ・デバイスに送信する、出力コード・セグメントとを備える、携帯型のビデオ・ストリーミング・デバイス。
【請求項２】
前記ＨＤＭＩコネクタが前記ＨＤＭＩポートに接続した時に、前記ケーブル・セグメント部が前記ハウジングの少なくとも一部を前記ディスプレイ・デバイスから水平方向に離間した位置に配置しながら、前記ハウジングが前記ＨＤＭＩポートから垂直方向に懸架された状態にある結果、前記ハウジングが宙にぶら下がる、請求項１に記載の携帯型のビデオ・ストリーミング・デバイス。
【請求項３】
前記ケーブル部は形状記憶材料からなる、請求項１に記載の携帯型のビデオ・ストリーミング・デバイス。
【請求項４】
前記ケーブル部は第１の平面及び第２の平面を有し、前記第２の平面は前記第１の平面の反対側にある、請求項１に記載の携帯型のビデオ・ストリーミング・デバイス。
【請求項５】
前記ケーブル部は非円柱の形状を有する、請求項１に記載の携帯型のビデオ・ストリーミング・デバイス。
【請求項６】
前記プリント回路基板に結合された電力レセプタクルをさらに備え、前記電力レセプタクルは前記側壁の第２の開口部を通して電力ケーブルのマイクロユニバーサル・シリアル・バス（ＵＳＢ）コネクタを着脱自在に受承することによって前記電子回路のうちの少なくともおいくつかに電力を供給する、請求項１に記載の携帯型のビデオ・ストリーミング・デバイス。
【請求項７】
前記上部エンクロージャは側壁を有し、前記下部エンクロージャの側壁は前記上部エンクロージャの前記側壁の高さよりも大きい高さを有し、前記下部エンクロージャの側壁の高さは前記下部エンクロージャの深さを画定し、前記上部エンクロージャの側壁の高さは前記上部エンクロージャの深さを画定する、請求項１に記載の携帯型のビデオ・ストリーミング・デバイス。
【請求項８】
ネットワークを通じてビデオ・コンテンツをストリーミングする携帯型のビデオ・ストリーミング・デバイスにおいて、
プリント回路基板を収容するハウジングであって、前記プリント回路基板は電子回路を含んでなり、前記電子回路はメディア・コンテンツ・ソースから無線でビデオ・ストリーミング・コンテンツを受信し、前記電子回路は前記プリント回路基板に結合された複数の集積回路を含んでなり、前記複数の集積回路は、システム・オン・チップ（ＳＯＣ）と、Ｗｉ−Ｆｉ通信チップと、フラッシュメモリチップと、ダイナミック・ランダム・アクセス・メモリ（ＤＲＡＭ）チップと、１つ以上のパワー・マネジメント集積回路（ＰＭＩＣ）とを有し、前記ハウジングは上部エンクロージャと下部エンクロージャとを備え、前記上部エンクロージャは前記下部エンクロージャに連結され、前記下部エンクロージャは第１の開口部及び第２の開口部を画成する側壁を有する、ハウジングと、
前記プリント回路基板に結合された電力レセプタクルと、
第１のコネクタと、第２のコネクタと、前記第１及び第２のコネクタの間を伸びるＵＳＢケーブル部とを有したユニバーサル・シリアル・バス（ＵＳＢ）電力ケーブルであって、前記第１のコネクタは電源に接続され、前記第２のコネクタは前記第１の開口部を通して前記電力レセプタクルに接続される、ユニバーサル・シリアル・バス（ＵＳＢ）電力ケーブルと、
第１の端部と、第２の端部と、前記第１及び第２の端部の間を伸びるケーブル部とを有した出力コード・セグメントであって、前記出力コード・セグメントは前記携帯型のビデオ・ストリーミング・デバイスの分解を行わない限り前記ハウジングから取り外されず、前記第１の端部は低電圧差動信号（ＬＶＤＳ）コネクタを含んでなり、前記ＬＶＤＳコネクタは前記プリント回路基板に固定され、前記第２の端部は高精細度マルチメディア・インターフェース（ＨＤＭＩ）コネクタを含んでなり、ディスプレイ・デバイスのＨＤＭＩポートに着脱自在に接続され、前記ケーブル部は前記側壁の前記第２の開口部を貫通して伸びる部分を有し、前記電子回路は受信した前記ビデオ・ストリーミング・コンテンツを前記出力コード・セグメントを通して前記ディスプレイ・デバイスに送信する、出力コード・セグメントとを備え、
前記ケーブル部は第１の平面及び第２の平面を有し、前記第２の平面は前記第１の平面の反対側にある、携帯型のビデオ・ストリーミング・デバイス。
【請求項９】
前記ケーブル部は一定の閾値を超える剛性を有することによって、前記ＨＤＭＩコネクタが前記ＨＤＭＩコネクタに接続された時に、前記携帯型のビデオ・ストリーミング・デバイスは宙に懸架し、前記閾値は前記携帯型のビデオ・ストリーミング・デバイスの重量に相対した値である、請求項８に記載の携帯型のビデオ・ストリーミング・デバイス。
【請求項１０】
前記ケーブル部は形状記憶材料からなる、請求項９に記載の携帯型のビデオ・ストリーミング・デバイス。
【請求項１１】
前記ケーブル部は非円柱の形状を有する、請求項８に記載の携帯型のビデオ・ストリーミング・デバイス。
【請求項１２】
前記プリント回路基板は前記下部エンクロージャに画定された凹部の内部に設けられる、請求項８に記載の携帯型のビデオ・ストリーミング・デバイス。
【請求項１３】
前記ハウジングは４５ミリメートルの直径の最小値を有する、請求項８に記載の携帯型のビデオ・ストリーミング・デバイス。
【請求項１４】
前記ハウジングは二層シールドを収容し、前記二層シールドは前記プリント回路基板に結合した内側フレームと、前記うち縄フレームに結合しているカバー・シールドとを含んでなる、請求項８に記載の携帯型のビデオ・ストリーミング・デバイス。